(57)【要約】      （修正有）【課題】ペン立てを平面、鉄製部の垂直面、横面、天井面など縦横に取り付けられ、ペンが個々に自立して寄り重ならないように収納されるので個々のペン類を選らなくても取り出しが容易にできるペン立てを提供する。【解決の手段】ペン立ては、ペン立ての容器７が、外側容器１と内側容器２から構成され、内側容器の上段側に井形状に編んだ上段側伸縮編紐３と、下段側に井形状に編んだ下段側伸縮編紐４とを二層に取付け、伸縮編紐にねじれを入れてペン類６と伸縮編紐の接触面が伸縮編紐の転がりで滑り易くし、ペン類の差し入れ出しをスームズにした。外側容器の外側の底面又は側面に磁石５を取り付け、ペン立てが鉄製部の横面、垂直面、天井面に取付出来、狭い机の横、パソコンの横、ベット生活者の頭の上、宇宙船内にも取付可能とした。【選択図】図１
0003229197.tif 000002
【実用新案登録請求の範囲】
【請求項１】
ペン立ての容器の上段側に上段側伸縮把持体と、その下段側に下段側伸縮把持体とを二層に取付け、前記伸縮把持体の伸縮力によってペン類を保持し、前記容器の外側の底面又は側面に磁石を取り付ける事を特徴とするペン立て。
【請求項２】
前記上段側伸縮把持体及び前記下段側伸縮把持体がそれぞれ井形状に編んだ伸縮編紐である事を特徴とする請求項１に記載のペン立て。
【請求項３】
前記上段側伸縮把持体及び前記下段側伸縮把持体がそれぞれ平行な複数本の伸縮紐であり、上段側伸縮紐と下段側伸縮紐で井形を形成している事を特徴とする請求項１に記載のペン立て。
【請求項４】
前記伸縮編紐及び前記伸縮紐にはねじれを入れている事を特徴とする請求項２又は請求項３に記載のペン立て。
【請求項５】
ペン立ての前記容器は、外側容器と内側容器から構成されている事を特徴とする請求項１〜４のいずれか１項に記載のペン立て。
【考案の詳細な説明】
【技術分野】
【０００１】
本考案の、ペン立ては、ペン立てに収納されたペンが、ペン立てが横に成ったり、ペン立てが逆さに成っても、井形状に編まれた伸縮編紐が縦横の伸縮に依り差し込まれたペン類が把持されて、又ペン類の傾きを抑え、ペン類がペン立てから落下しなくて、ペン立てにペンを収納した時はペンが直立に立って、平面や、磁石に依り、鉄製部の垂直面、鉄製部の天井面、鉄製部の横面、に据えられる、ペン立てに関する物である。      
【背景技術】
【０００２】
ペンを収納するペン立てには、何本もエンピツ、ボールペン、万年等何種類を寄り重ねて入れていた為、お互いに偏って取り出す時は見分けがつかず、選って取り出していた、又ペン立てが転倒、落下の時はペン類が散乱したり、鉛筆の芯が折れたり、ペンのキャップが外れ書類を汚したりした、又従来からのペン立ては平面に直立の形態でしか使用が出来なった。このような問題を解決するために、所定の長さを持つ支柱が台座の上に２本以上あり支柱間は所定の間隔を有し各支柱は所定の深さの切れ込みが複数あるスタンド又は各支柱の切込みが底面まで達し分断された状態でもそれぞれを重ね合わせて止め具を使用しバラバラにならないように構成したスタンドが知られている（例えば、特許文献１を参照）。
【先行技術文献】
【特許文献】
【０００３】
【特許文献１】特開２０１２−１４３９５０号公報
【考案の概要】
【考案が解決しようとする課題】
【０００４】
特許文献１のスタンドは、製作構造が複雑で、ペン類の把持力が弱くて、ペン立てが転倒したり、落下した時はペンが散乱する可能性が有り、又垂直面、横面、天井面には取付が出来ず、その取付用途は平面に限られていて、そのスタンドの容器も大きな物となり、この様な問題がある。本考案のペン立ては、このような問題を解決するために考案されたものであり、ペンがペン立てを逆さにしても落下せず、ペン立てを鉄製部の垂直面、横面、天井面などに取り付けられ、ペンが個々に直立してペンどうしが寄り重ならないように収納されるので、選らなくても種類毎に取り出しが容易にできるペン立てを提供することを目的とする。
【課題を解決するための手段】
【０００５】
上記課題を解決するために、本考案のペン立ては、ペン立ての容器の上段側に上段側伸縮把持体と、その下段側に下段側伸縮把持体とを二層に取付け、前記伸縮把持体の伸縮力によってペン類を保持し、前記容器の外側の底面又は側面に磁石を取り付ける事を特徴とする。
また本考案のペン立ては、前記上段側伸縮把持体及び前記下段側伸縮把持体がそれぞれ井形状に編んだ伸縮編紐であってもよい。
また本考案のペン立ては、前記上段側伸縮把持体及び前記下段側伸縮把持体がそれぞれ平行な複数本の伸縮紐であり、上段側伸縮紐と下段側伸縮紐で井形を形成しもよい。
また本考案のペン立ては、前記伸縮編紐及び前記伸縮紐にはねじれを入れてもよい。
また本考案のペン立ては、ペン立ての前記容器は、外側容器と内側容器から構成されていてもよい。
【考案の効果】
【０００６】
本考案のペン立ては、ペン立ての容器（７）を外側容器（１）と内側容器（２）に分け、内側容器（２）の上段と下段に井形状に編んだ上段側伸縮編紐（３）と井形状に編んだ下段側伸縮編紐（４）の、縦横で井形状に成った所にペン類（６）を立て、その縦横の伸縮編紐（３，４）の伸縮力によりペン類（６）を挟む把持力が出来て、ペン類（６）が落下せず、ペン類（６）を立てた位置で直立に収納が出来て、個々の寄り重ねも無く、数本のペン類（６）も一本ずつ見分けが出来て取り易い、ペン類（６）のペン立てに差し入れ出しの際は、伸縮編紐（３，４）にねじれを入れているのでペン類（６）と伸縮編紐（３，４）の接触面が伸縮編紐（３，４）の転がりで滑り易く成りペン類（６）の差し入れ出しもスームズに成る。又ペン類（６）の落下も抑えられるので磁石（５）が取付可能になり、ペン立てが鉄製部の横面、鉄製部の垂直面、鉄製部の天井面に取付が出来て、狭い机の横、パソコンの横、ベット生活者の頭の上、宇宙船内にも取付が出来る、又花立て、ペットボトル、工具等の収納箱などにも利用が出来る、その用途は多様である。
【図面の簡単な説明】
【０００７】
【図１】本考案の実施例１のペン立ての断面を示す断面斜視図である。
【図２】本考案の実施例１のペン立てにペン類を差した様子を示す図である。
【図３】本考案の実施例１のペン立てを鉄製部の垂直面に取り付けた様子を示す図である。
【図４】本考案の実施例２のペン立ての断面を示す断面斜視図である。
【考案を実施するための形態】
【０００８】
図１〜図４を参照して実施例を説明する。
【実施例１】
【０００９】
本考案の実施例１のペン立を図１〜図３を参照して説明する。図１〜図３に示すように、ペン立ての容器（７）を外側容器（１）と内側容器（２）に分け、その内側容器（２）の上段に、井形状に編んだ上段側伸縮編紐（３）と下段に井形状に編んだ下段側伸縮編紐（４）の二層構造にしている。伸縮編紐（３，４）の網目の大きさをペン類（６）の外径よりも小さくすることで、伸縮編紐（３，４）の伸縮力により、差し込まれたペン類（６）を把持し、ペン類（６）の傾きを抑え、ペン立てを逆さにしても、ぺん類（６）は自からペン立てから落下しない、又ペン類（６）のペン立てに差し入れ出しの際は、伸縮編紐（３，４）にねじれを入れているのでペン類（６）と伸縮編紐（３，４）の接触面が伸縮編紐（３，４）の転がりで滑り易く成りペン類（６）の差し入れ出しもスームズに成る、
【００１０】
容器（７）の外側、すなわち外側容器（１）の外側の底面と側面に磁石（５）を取り付け、鉄製部の垂直面でも、鉄製部の横面、鉄製部の天井面でも、ペン立てが取付られるようにしている。
【００１１】
容器（７）の大きさや、井形状に編んだ上段側伸縮編紐（３）や下段側伸縮編紐（４）の紐の太さと編目の大きさに依って、歯ブラシ立て、箸立て、工具立て、ビンの収納箱等に利用が出来て、狭い机の横側、ベットのスタンド、引出しの横、棚の裏側等の多様な処に取付が出来る。
【実施例２】
【００１２】
本考案の実施例２のペン立てを図４を参照して説明する。図４に示すように、ペン立ての容器（７）を外側容器（１）と内側容器（２）に分け、その内側容器（２）の上段に、平行な複数本の上段側伸縮紐（８）と下段に平行な複数本の下段側伸縮紐（９）の二層構造にし、上段側伸縮紐（８）と下段側伸縮紐（９）で井形を形成している。井形の間隔をペン類（６）の外径よりも小さくすることで、伸縮紐（８，９）の伸縮力により、差し込まれたペン類（６）を把持し、ペン類（６）の傾きを抑え、ペン立てを逆さにしても、ぺん類（６）は自からペン立てから落下しない、又伸縮紐（８，９）にねじれを入れているのでペン類（６）と伸縮紐（８，９）の接触面が伸縮紐（８，９）の転がりで滑り易く成りペン類（６）の差し入れ出しもスームズに成る。
【００１３】
なお、上記実施の形態ではペン立ての容器（７）は外側容器（１）と内側容器（２）からなる２重構造で説明したが、外側容器（１）と内側容器（２）が一体となった１重構造の容器でもよい。また、上段側伸縮編紐（３）と下段側伸縮編紐（４）及び上段側伸縮紐（８）と下段側伸縮紐（９）は、カートリッジ式にして取り換え可能な構成にしてもよい。上記実施の形態ではペン立ての外側容器（１）の外側の側面と底面の両方に磁石（５）を取り付けた場合で説明したが、側面又は底面のどちらか一方に磁石（５）を取り付けてもよい。
【符号の説明】
【００１４】
１    外側容器
２    内側容器
３    上段側伸縮編紐（上段側伸縮把持体）
４    下段側伸縮編紐（下段側伸縮把持体）
５    磁石
６    ペン類
７    容器
８    上段側伸縮紐（上段側伸縮把持体）
９    下段側伸縮紐（下段側伸縮把持体）
【図１】
0003229197.tif 000003
【図２】
0003229197.tif 000004
【図３】
0003229197.tif 000005
【図４】
0003229197.tif 000006
【手続補正書】
【提出日】令和2年8月28日(2020.8.28)
【手続補正１】
【補正対象書類名】実用新案登録請求の範囲
【補正対象項目名】全文
【補正方法】変更
【補正の内容】
【実用新案登録請求の範囲】
【請求項１】
ペン立ての容器の上段側に上段側伸縮把持体と、その下段側に下段側伸縮把持体とを二層に取付け、前記伸縮把持体の伸縮力によってペン類を保持し、前記容器の外側の底面又は側面に磁石を取り付ける事を特徴とするペン立て。
【請求項２】
前記上段側伸縮把持体及び前記下段側伸縮把持体がそれぞれ井形状に編んだ伸縮編紐である事を特徴とする請求項１に記載のペン立て。
【請求項３】
前記上段側伸縮把持体及び前記下段側伸縮把持体がそれぞれ平行な複数本の伸縮紐であり、上段側伸縮紐と下段側伸縮紐で井形を形成している事を特徴とする請求項１に記載のペン立て。
【請求項４】
前記伸縮編紐にはねじれを入れている事を特徴とする請求項２に記載のペン立て。
【請求項５】
前記伸縮紐にはねじれを入れている事を特徴とする請求項３に記載のペン立て。
【請求項６】
ペン立ての前記容器は、外側容器と内側容器から構成されている事を特徴とする請求項１〜５のいずれか１項に記載のペン立て。